(57)【要約】【課題】色変化の発生を抑圧し、画質向上を図ることができる撮像装置およびカメラ並びに画像処理方法を提供する。【解決手段】カラーローリングの検出およびカラーローリングの抑圧処理は、色信号処理回路２４３から出力される色信号がオプティカルディテクタ２４５に入力され、色信号（Ｒ、Ｇ、Ｂ）はあらかじめ設定された輝度別に所定時間積分され、輝度別の積分値が出力される。輝度別の積分値は演算装置２４６に入力され、色信号（Ｒ、Ｇ、Ｂ）の比率が変化した時点でカラーローリングが発生したと判断し、カラーローリングの抑圧処理が実行される。【選択図】図２
2008085736.tif 000002
【特許請求の範囲】
【請求項１】
画像信号における色変化の発生を検出する検出手段と、
上記検出手段により検出された上記色変化の抑圧を行う抑圧手段と、
を有し、
上記抑圧手段は、
被写体の一部の色のみに対して色変化を抑圧する
撮像装置。
【請求項２】
上記検出手段は、
一定周期ごとの色成分の比率変化で、上記色変化を検出する
請求項１記載の撮像装置。
【請求項３】
上記検出手段は、
上記色変化の検出を上記被写体の輝度レベルによって判断する  
請求項２記載の撮像装置。
【請求項４】
上記検出手段は、
上記色成分を複数の輝度レベルに分類し、高輝度の上記色成分に対して、一定周期ごとの上記色成分の比率変化で、上記色変化を検出する
請求項２記載の撮像装置。
【請求項５】
上記検出手段は、
上記色信号を上記複数の輝度別に積分した積分値を生成する積分回路
を有し、
上記検出手段は、上記積分値に基づいて上記色変化を検出するための上記色変化の比率を求める
請求項４記載の撮像装置。
【請求項６】
上記抑圧手段は、
上記被写体の輝度レベルが予め設定したレベル以上の場合、上記被写体の特定の高輝度の色のみを消去する
請求項１記載の撮像装置。
【請求項７】
上記抑圧手段は、
上記被写体の輝度レベルが予め設定したレベル以上の場合、
上記被写体の特定の高輝度の色以外は残す
請求項１記載の撮像装置。
【請求項８】
上記抑圧手段は、
上記輝度レベルに対して第１の閾値と第２の閾値を設け、上記第１の閾値以下の範囲では上記被写体の色を残し、上記第２の閾値以上の範囲では上記被写体の特定の高輝度の色のみを消去する
請求項６記載の撮像装置。
【請求項９】
上記抑圧手段は、
上記第１の閾値と上記第２の閾値の範囲では上記被写体の輝度レベルが高くなるほど上記被写体の色が順に薄くなるように補正する
請求項８記載の撮像装置。
【請求項１０】
上記抑圧手段は、上記第１の閾値と第２の閾値は上記色変化の検出時の輝度レベルに応じて調整する
請求項８記載の撮像装置。
【請求項１１】
撮像装置と、
上記撮像装置の撮影エリアに対して入射光を導く光学系と、を含み、
前記撮像装置は、
画像信号における色変化の発生を検出する検出手段と、
上記検出手段により検出された上記色変化の抑圧を行う抑圧手段と、
を有し、
上記抑圧手段は、
被写体の一部の色のみに対して色変化を抑圧する
カメラ。
【請求項１２】
画像信号における色変化の発生を検出する第１ステップと、
上記第１ステップにより検出された色変化の抑圧を行う第２ステップと、を有し、
上記第１ステップにおいては、
上記色変化の検出を一定周期ごとの所定輝度の色信号の比率をモニタして行い、
上記第２ステップにおいては、
被写体の輝度レベルが予め設定したレベル以上の場合に、特定の輝度の被写体の色のみを抑圧する
画像処理方法。
【発明の詳細な説明】
【技術分野】
【０００１】
本発明は、ＣＣＤ（Charge Coupled Device)、ＣＭＯＳ（Complementary Metal Oxide Semiconductor）センサなどの固体撮像素子を備えた撮像装置およびカメラ並びに画像処理方法に関するものである。
【背景技術】
【０００２】
ＣＣＤなどの固体撮像素子を用いたカメラシステムにおいて、たとえば、ＮＴＳＣ（National Television System Committee）方式のカメラで電源周波数が６０Ｈｚで、蛍光灯の下で被写体を撮影した時、長い周期で色と明るさが変化する色変化（カラーローリング、あるいは色フリッカ、以後、カラーローリングと呼ぶ）と呼ばれる現象が発生する。
カメラシステムを用いて蛍光灯のある部屋で被写体を撮影すると、被写体の色が本来の色と異なって見え、画質が低下する。  
【０００３】
ＮＴＳＣ方式のカメラで発生するカラーローリングの周期は、電源周波数が６０Ｈｚのとき、蛍光灯の発光周波数は１２０Ｈｚで２０００回発光すると仮定すると、約１６．７秒となる。
【０００４】
図１に、ＮＴＳＣ方式のカメラで被写体を蛍光灯の下で撮影した時に発生するカラーローリングとその対策について一例をあげ、具体的に説明する。
【０００５】
図１（Ａ）、（Ｂ）は、ベクトルスコープを用いて、カメラシステムの画面のビデオ信号を測定したものをそれぞれ示した図である。縦軸は（Ｒ−Ｙ）信号の振幅（ゲイン）を示し、横軸は（Ｂ−Ｙ）信号の振幅を示す。ここで、原点は無彩色の白色であり、Ｒ、Ｂ、Ｙはそれぞれ色信号の赤色、色信号の青色、輝度信号を示す（以下、Ｒ、Ｂ、Ｙとする）。
【０００６】
図１（Ａ）は、被写体の撮像画面のビデオ信号をベクトルスコープで測定した時の色差を表す図である。カラーローリングによって色成分が周期的に黄色（Ｙｅ、以後Ｙｅとする）方向に連続的に伸びている。色成分は純粋なＹｅ成分だけで構成されていないため、カラーローリングによって原点の中心から図１（Ａ）のように連続的に色が存在する。
その結果、カラーローリングが発生すると、カメラで撮影された撮像画面全体は黄色を帯びる。
【０００７】
そこで、このようなカラーローリングを抑圧する方法として、オートホワイトバランス（ＡＷＢ）処理を速めて行うものが提案されている（たとえば特許文献１参照）。
オートホワイトバランス処理では、本来白色であるものは白色に見えるように、撮影結果において色がついて見える白色を、無彩色の白色に自動的に補正する。
【０００８】
図１（Ｂ）は、カラーローリングの発生によってＹｅ成分が周期的に増加した図１（Ａ）の状態を、ホワイトバランス（ＷＢ）処理によって処理した時の色差を表す図である。
ホワイトバランス処理によって、図１（Ａ）のＹｅ成分は原点方向に引き込まれ 、色信号の平均に合わせてＹｅ成分の飽和度は減少する。
【特許文献１】特開平１１−２８５０１０号公報
【発明の開示】
【発明が解決しようとする課題】
【０００９】
しかしながら、ホワイトバランス処理を実行すると、Ｂ成分の飽和度が増加し、画面は全体に青みがかって見えるようになる。これは、Ｙｅ成分が連続的に分布するため、前述したような従来のホワイトバランス処理ではＹｅ方向のみの成分を押さえることができないからである。
カラーローリングは、Ｙｅ方向に大きく伸びる傾向があり、ホワイトバランス処理でカラーローリングを抑制しようとすると、Ｂのゲインを大きくする必要がある。
そのため、ホワイトバランス処理では、大きなゲインを加える必要があり、画面全体に色ノイズが増加する不利益がある。
以上の理由により、ホワイトバランス処理では、カラーローリングを完全に抑制することができない。
【００１０】
本発明は、色変化の発生を抑圧し、画質向上を図ることができる撮像装置およびカメラ並びに画像処理方法を提供することにある。
【課題を解決するための手段】
【００１１】
本発明の第１の観点の撮像装置は、画像信号における色変化の発生を検出する検出手段と、上記検出手段により検出された上記色変化の抑圧を行う抑圧手段と、を有し、上記抑圧手段は、被写体の一部の色のみに対して色変化を抑圧する。
【００１２】
好適には、上記検出手段は、一定周期ごとの色成分の比率変化で、上記色変化を検出する。
【００１３】
好適には、上記検出手段は、上記色変化の検出を上記被写体の輝度レベルによって判断する。  
【００１４】
好適には、上記検出手段は、上記色成分を複数の輝度レベルに分類し、高輝度の上記色成分に対して、一定周期ごとの上記色成分の比率変化で、上記色変化を検出する。
【００１５】
好適には、上記検出手段は、上記色信号を上記複数の輝度別に積分した積分値を生成する積分回路を有し、上記検出手段は、上記積分値に基づいて上記色変化を検出するための上記色変化の比率を求める。
【００１６】
好適には、上記抑圧手段は、上記被写体の輝度レベルが予め設定したレベル以上の場合、上記被写体の特定の高輝度の色のみを消去する。
【００１７】
好適には、上記抑圧手段は、上記被写体の輝度レベルが予め設定したレベル以上の場合、上記被写体の特定の高輝度の色以外は残す。
【００１８】
好適には、上記抑圧手段は、上記輝度レベル対して第１の閾値と第２の閾値を設け、上記第１の閾値以下の範囲では上記被写体の色を残し、上記第２の閾値以上の範囲では上記被写体の特定の高輝度の色のみを消去する。
【００１９】
好適には、上記抑圧手段は、上記第１の閾値と上記第２の閾値の範囲では上記被写体の輝度レベルが高くなるほど上記被写体の色が順に薄くなるように補正する。
【００２０】
好適には、上記抑圧手段は、上記第１の閾値と第２の閾値は上記色変化の検出時の輝度レベルに応じて調整する。
【００２１】
本発明の第２の観点のカメラは、撮像装置と、上記撮像装置の撮影エリアに対して入射光を導く光学系と、を含み、前記撮像装置は、画像信号における色変化の発生を検出する検出手段と、上記検出手段により検出された上記色変化の抑圧を行う抑圧手段と、を有し、上記抑圧手段は、被写体の一部の色のみに対して色変化を抑圧する。
【００２２】
本発明の第３の観点の画像処理方法は、画像信号における色変化の発生を検出する第１ステップと、上記第１ステップにより検出された色変化の抑圧を行う第２ステップと、を有し、上記第１ステップにおいては、上記色変化の検出を一定周期ごとの所定輝度の色信号の比率をモニタして行い、上記第２ステップにおいては、被写体の輝度レベルが予め設定したレベル以上の場合に、特定の輝度の被写体の色のみを抑圧する。
【００２３】
本発明によれば、検出手段にて画像信号における色変化が検出され、検出結果が抑制手段に供給される。抑圧手段においては、検出結果に基づいて色変化の抑圧が行われるが、このとき、被写体の一部の色のみに対し抑圧処理が行われる。
【発明の効果】
【００２４】
本発明によれば、画像信号における色変化の発生を検出する検出手段と、検出手段により検出された色変化の抑圧を行う抑圧手段と、を有し、色変化の発生を抑圧して撮像装置およびカメラの画質向上を図ることができる。
【発明を実施するための最良の形態】
【００２５】
以下、本発明の実施形態を図面に関連づけて説明する。
【００２６】
図２は、本発明の一実施形態に係る撮像装置の構成例を示すブロック図である。
【００２７】
本撮像装置２０は、図２に示すように、レンズ（ＬＥＮＳ）２１、撮像素子（たとえば、ＣＣＤ）２２、アナログフロントエンド部２３、デジタル信号処理回路（ＤＳＰ）２４およびタイミングジェネレータ（ＴＧ）２５を有する。
アナログフロントエンド部２３は、たとえば、相関２重サンプリング回路（ＣＤＳ）２３１と自動ゲイン制御装置（ＡＧＣ）２３２を有する。
デジタル信号処理回路２４は、たとえば、アナログ・デジタル変換器（Ａ／Ｄ）２４１、輝度信号処理回路（Ｙ−Ｐｒｏｃｅｓｓ）２４２、色信号処理回路（Ｃ−Ｐｒｏｃｅｓｓ）２４３、デジタル・アナログ変換器（Ｄ／Ａ）２４４、オプティカルディテクタ（ＯＰＤ）２４５および演算装置２４６を有する。
【００２８】
撮像素子２２は、レンズ２１を通して結像された光信号を電気信号に変換し、変換された電気信号をアナログフロントエンド部２３へ入力する。
【００２９】
アナログフロントエンド部２３は、相関２重サンプリング回路２３１にて、撮像素子２２によって変換された電気信号をサンプルホールドして必要なデータを取り出し、取り出したデータを適切なレベルに調整するために自動ゲイン制御装置２３２にてゲイン制御を行い、その信号をデジタル信号処理回路２４内のアナログ・デジタル変換器２４１に出力する。
【００３０】
アナログ・デジタル変換器２４１は、アナログフロントエンド部２３からの信号が入力され、入力されたアナログ信号をデジタル信号に変換し、図２に図示していない回路にて入力信号を輝度信号Ｙと色信号（Ｒ、Ｇ、Ｂ）に分離し、輝度信号Ｙを輝度信号処理回路２４２に出力し、色信号を色信号処理回路２４３に出力する。
【００３１】
輝度信号処理回路２４２は、図２に図示していない回路にて分離された輝度信号が入力され、輝度信号Ｙをデジタル・アナログ変換器２４４１に出力する。
【００３２】
色信号処理回路２４３は、図２に図示していない回路にて分離された色信号と演算装置２４６からの信号が入力され、色信号Ｒ、Ｇ（緑、以下、Ｇとする）、Ｂを出力し、デジタル・アナログ変換器２４４２とオプティカルディテクタ２４５に出力する。
【００３３】
デジタル・アナログ変換器２４４１は、輝度信号処理回路２４２からの出力信号をデジタル信号からアナログ信号に変換し、図２に図示していない回路にてビデオ信号の輝度成分を生成し、デジタル信号処理回路２４の外部へ出力する。
【００３４】
オプティカルディテクタ２４５は、色信号処理回路２４３からの色信号（Ｒ、Ｇ、Ｂ）と演算装置２４６からフィードバックされた信号とを受けて、色信号（Ｒ、Ｇ、Ｂ）を輝度別にそれぞれ一定期間積分し、色信号（Ｒ、Ｇ、Ｂ）ごとに輝度についての積分値を演算装置２４６に出力する。
【００３５】
演算装置２４６は、オプティカルディテクタ２４５からの積分値信号を受け、この積分値信号によりカラーローリングを検出し、カラーローリング検出時には、カラーローリングの抑圧処理をたとえばソフトウェアで処理する。また、通常のホワイトバランス処理もソフトウェアで処理する。
演算装置２４６は、カラーローリングの抑圧処理後、オプティカルディテクタ２４５、色信号処理回路２４３、フロントエンド部２３とタイミングジェネレータ２５にカラーローリングの抑圧処理が施された信号をフィードバックする。
演算装置２４６で処理される抑圧処理については、詳しく後述する。
【００３６】
デジタル・アナログ変換器２４４２は、色信号処理回路２４３からの出力信号をデジタル信号からアナログ信号に変換する。
カラーローリングの抑圧処理が実行され、演算装置２４６からフィードバックされた信号は、図２に図示していない回路にてビデオ信号の色成分が生成され、デジタル信号処理回路２４の外部へ出力される。
【００３７】
タイミングジェネレータ２５は、演算装置２４６の制御の下、所定のクロックを生成し、撮像素子２２、アナログ・デジタル変換器２４１、輝度信号処理回路２４２、および色信号処理回路２４３にクロック信号をそれぞれ供給する。
【００３８】
次に、本発明の一実施形態に係るカラーローリングの検出手段について、図３と図４に関連づけて説明する。
【００３９】
図３は、オプティカルディテクタ２４５で実行される輝度別積分の方法の一例について説明する図である。
図３において、横軸は被写体の垂直方向もしくは水平方向の位置を示し、縦軸は各位置における色信号（Ｒ、Ｇ、Ｂ）の輝度を示す。
【００４０】
オプティカルディテクタ２４５は、輝度レベルによって積分する色信号の範囲を分け、輝度別に積分を実行する。各色信号（Ｒ、Ｇ、Ｂ）の輝度を、ノイズ領域ＮＲ、通常輝度領域ＮＢＲ、高輝度領域ＨＢＲ、飽和領域ＳＲの４つのレベルに分割する。
色信号が図３のように分布しているとき、色信号が輝度レベルの低いノイズ領域ＮＲと色信号の輝度のピーク付近である飽和領域ＳＲは、積分の範囲外とする。輝度の積分範囲は、色信号が通常領域もしくは高輝度領域ＨＢＲに存在する場合にのみ、フィールドに対して積分を実行する。
積分範囲を分割する４つの輝度レベルは、それぞれ任意に設定でき、長周期で変化する色信号レベルが最大に検出できるようなレベルに設定する。
【００４１】
図４は、電源周波数が５０Ｈｚ、白色蛍光灯で、ＰＡＬ（Phase Alternating Line）方式のカメラを使用したときの色信号（Ｒ、Ｇ、Ｂ）と輝度信号Ｙを所定時間フィールドで積分した輝度別積分値の一実施例を示す図である。
なお、オートホワイトバランス処理は施していない。
【００４２】
図４に示す輝度別積分値の一例は、電源周波数が５０Ｈｚの地域を想定し、ＰＡＬ方式のカメラを使用したときのものであるが、電源周波数とフィールド周波数がともに５０Ｈｚであるため、カラーローリングの発生周期はＮＴＳＣ方式と異なるが、検出の方法はＮＴＳＣ方式と同様である。
【００４３】
オプティカルディテクタ２４５は、図３に示す高輝度領域ＨＢＲに存在する色信号に対して所定時間積分を実行する。
【００４４】
カラーローリングが発生しておらず、ホワイトバランスが保たれているときには、ホワイトバランス処理後に増幅を行うと色信号（Ｒ、Ｇ、Ｂ）の比率は、１：１：１である。
しかし、カラーローリングが発生した場合には、一定周期で色信号（Ｒ、Ｇ、Ｂ）の比率が崩れ、Ｂ成分が減少し、撮像画面は黄色を帯びる。
【００４５】
そこで、本実施形態において、カラーローリングの検出には、カラーローリングが発生すると色信号の比率が変化する現象を利用する。
【００４６】
図４において、たとえば、３７００フィールド付近では、Ｂ成分が他のＧ、Ｒに比べて減少しており、カラーローリングが発生していると判断する。蛍光灯撮影時には、このように、一定周期ごとにカラーローリングが発生する。
【００４７】
輝度別積分方法は、ホワイトバランス処理において白色を効率よく抽出するために用いる方法として知られているが、本発明の一実施形態では、カラーローリングの検出に用いる。
【００４８】
次に、本発明の一実施形態に係る抑圧手段としてのカラーローリングの抑圧処理について、図５と図６に関連づけて説明する。
【００４９】
オプティカルディテクタ２４５で輝度別積分したデータは、演算装置２４６に入力され、輝度別積分のデータを基にカラーローリングが検出され、検出結果に応じてカラーローリングの抑圧、もしくはホワイトバランス処理等が実行される。
【００５０】
カラーローリングの抑圧処理は、あらかじめ色信号の輝度別積分値に対しての第１の閾値に相当する第１の参照輝度レベル（ＲＬ１）と第２の閾値に相当する第２の参照輝度レベル（ＲＬ２）の２つの基準値を設定する。
任意の輝度レベルに対して、この任意の輝度レベルより輝度レベルが低い側に第１の参照輝度レベルを設定し、前記任意の輝度レベルより輝度レベルが高い側に第２の参照輝度レベルを設定する。このとき、第１の参照輝度レベルと第２の参照輝度レベルとの関係は、ＲＬ１＜ＲＬ２である。
【００５１】
第１の参照輝度レベルと第２の参照輝度レベルを基に、第１の参照輝度レベルよりも低い輝度レベルにある被写体の色は残し、第２の参照輝度レベルよりも高い輝度レベルにある色は消去する。
【００５２】
第１の参照輝度レベルと第２の参照輝度レベルの間にある色については輝度レベルが高くなるほど被写体の色が順に薄くなるように補正する。
【００５３】
図５は、カラーローリングサプレス制御の第１例を説明するための図である。
【００５４】
図５の縦軸はクロマレベルを表し、横軸は輝度レベルを表す。第１の参照輝度レベルと第２の参照輝度レベルがそれぞれ所定の輝度レベルに設定されている。
【００５５】
第１の参照輝度レベルより輝度の低い被写体の色は残し、第２の参照輝度レベルより輝度の高い被写体の色は消去する。
第１の参照輝度レベルと第２の参照輝度レベルの間にある被写体の色は、たとえば図５の第１実施例のように、輝度レベルが高くなるほど被写体の色が順に薄くなるように線形に補正する。
【００５６】
図６は、カラーローリングサプレス制御の第２例を説明するための図である。
【００５７】
図６の縦軸はクロマレベルを表し、横軸は輝度レベルを表す。第１の参照輝度レベルと第２の参照輝度レベルがそれぞれ所定の輝度レベルに設定されている。
【００５８】
第１の参照輝度レベルより輝度の低い被写体の色は残し、第２の参照輝度レベルより輝度の高い被写体の色は消去する。
第１の参照輝度レベルと第２の参照輝度レベルの間にある被写体の色は、たとえば図６の第２例のように、輝度レベルが高くなるほど被写体の色が順に薄くなるように曲線で補正する。
【００５９】
第１の参照輝度レベルと第２の参照輝度レベルの間の被写体の色の補正方法は、輝度レベルが高くなるほど被写体の色が順に薄くなるように補正すれば、第１例や第２例だけでなく、その他の補正方法でも可能である。
【００６０】
また、カラーローリングの検出が最も検出できるレベルに設定した図３の輝度別積分の領域設定に合わせて、第１の参照輝度レベルと第２の参照輝度レベルを自動的に設定する。
たとえば、図３における通常領域ＮＢＲと高輝度領域ＨＢＲの閾値が上がると、カラーローリングの抑圧処理における第１の参照輝度レベルと第２の参照輝度レベルの閾値も上がる。
【００６１】
以上に説明したように、カラーローリングの検出およびカラーローリングの抑圧処理は、色信号処理回路２４３から出力される色信号（Ｒ、Ｇ、Ｂ）がオプティカルディテクタ２４５に入力され、色信号（Ｒ、Ｇ、Ｂ）はあらかじめ設定された輝度別に所定時間積分され、輝度別の積分値が出力される。
輝度別の積分値は演算装置２４６に入力され、色信号（Ｒ、Ｇ、Ｂ）の比率が変化した時点でカラーローリングが発生したと判断し、カラーローリングの抑圧処理が実行される。
また、演算装置２４６では、カラーローリングの検出やカラーローリングの抑圧処理はソフトウェア的に処理される。
【００６２】
演算装置２４６から出力される信号は、色信号処理回路２４３とオプティカルディテクタ２４５にフィードバックされ、色信号の処理が行われる。
また、タイミングジェネレータ２５と、フロントエンド部２３に入力される。
【００６３】
本発明に係る実施形態の一連の動作を説明する。
【００６４】
レンズ２１を通して結像された光信号が、撮像素子２２にて電気信号に変換される。
撮像素子２２によって変換された電気信号と演算装置２４６で状況に応じてカラーローリングの抑圧処理が行われた信号がアナログフロントエンド部２３に入力される。
アナログフロントエンド部２３は、アナログフロントエンド部２３内の相関２重サンプリング回路２３１にてデータをサンプルホールドして必要なデータを取り出す。
アナログフロントエンド部２３により取り出されたデータは、アナログフロントエンド部２３内の自動ゲイン制御装置２３２に入力され、データを適切なレベルに調整するためにゲイン制御が行われる。ゲイン調整後の信号は、フロントエンド部２３内のアナログ・デジタル変換器２４１に入力される。
【００６５】
フロントエンド部２３より出力されたデータは、デジタル信号処理回路２４内のアナログ・デジタル変換器２４１に入力され、アナログ信号からデジタル信号に変換される。
変換されたデジタル信号は、図２に図示していない回路に入力されて輝度信号Ｙと色信号（Ｒ、Ｇ、Ｂ）に分離され、輝度信号Ｙは輝度信号処理回路２４２へ入力され、色信号（Ｒ、Ｇ、Ｂ）は色信号処理回路２４３へ入力される。
【００６６】
輝度信号Ｙは、輝度信号処理回路２４２に入力されて信号処理が行われ、輝度信号Ｙがデジタル・アナログ変換器２４４１に出力される。
色信号（Ｒ、Ｇ、Ｂ）は、色信号処理回路２４３に入力されて信号処理が行われ、色信号（Ｒ、Ｇ、Ｂ）がデジタル・アナログ変換器２４４２とオプティカルディテクタ２４５に出力される。
【００６７】
色信号処理回路２４３にて信号処理された色信号（Ｒ、Ｇ、Ｂ）は、オプティカルディテクタ２４５に入力される。
オプティカルディテクタ２４５は、たとえば、積分回路を有し、入力された色信号（Ｒ、Ｇ、Ｂ）は、色信号（Ｒ、Ｇ、Ｂ）ごとに輝度別に一定期間積分され、それぞれ色信号（Ｒ、Ｇ、Ｂ）ごとに輝度についての輝度別積分値が出力される。
【００６８】
この輝度別積分値は、演算装置２４６に入力され、輝度別積分値に基づいてカラーローリングの検出が行われる。
カラーローリングの検出処理は、たとえばソフトウェアを用いて行われる。また、通常のホワイトバランス処理もたとえば、ソフトウェアを用いて行われる。
演算装置２４６にて、カラーローリングの検出結果に応じて撮像画像の補正が行われた後、演算装置２４６から出力される結果は、オプティカルディテクタ２４５と色信号処理回路２４３にフィードバックされ、また、タイミングジェネレータ２５とフロントエンド部２３にそれぞれ入力される。
【００６９】
演算装置２４６から色信号処理回路２４３にフィードバックされた信号は、色信号処理回路２４３にて色信号処理が実行され、出力結果がデジタル・アナログ変換器２４４２に入力される。
色信号処理回路２４３から出力される色信号（Ｒ、Ｇ、Ｂ）は、デジタル・アナログ変換器２４４２にてデジタル信号からアナログ信号に変換される。
輝度信号処理回路２４２から出力される輝度信号Ｙは、デジタル・アナログ変換器２４４１にてデジタル信号からアナログ信号に変換される。
図２に図示されていない回路にて、アナログに変換された輝度信号Ｙと色信号（Ｒ、Ｇ、Ｂ）はそれぞれビデオ信号に変換され、信号処理回路２４の外部へ出力される。
【００７０】
タイミングジェネレータ２５は、演算装置２４６の制御の下、所定のクロック信号を生成し、撮像素子２２、アナログ・デジタル変換器２４１、輝度信号処理回路２４２、および色信号処理回路２４３にそれぞれ入力され、撮像装置２２、アナログ・デジタル変換器２４１、輝度信号処理回路２４２、および色信号処理回路２４３の信号の同期がとられる。
【００７１】
以上に説明したように、本発明の一実施形態によれば、オプティカルディテクタ２４５は、たとえば、積分回路を有し、入力された色信号（Ｒ、Ｇ、Ｂ）を色信号（Ｒ、Ｇ、Ｂ）ごとに輝度別に一定期間積分し、それぞれ色信号ごとに輝度について輝度別積分値を求める。
この輝度別積分値は、演算装置２４６に入力され、色信号（Ｒ、Ｇ、Ｂ）の比率が変化した時点でカラーローリングが発生したと判断し、カラーローリングの抑圧処理が実行される。
このため、カラーローリングが能率よく検出できる。
【００７２】
低照度時のクロマサプレス制御（低照度時に自動ゲイン制御装置２３２のゲインが上昇することで増加するノイズを削減するために色信号を抑圧する制御）では、撮像画面全体の色成分を抑圧してしまう。
しかし、本発明の実施形態によれば、被写体の一部の色のみ抑圧するため、撮像画面全体の画質が損なわれることはない。
【００７３】
本実施形態は、蛍光灯撮像時に発生するカラーローリングを抑圧することで、高画質なカメラを提供する。ここでいうカメラとは、ＣＣＤ、ＣＭＯＳなどの撮像素子を用いたものであり、監視カメラ、ビデオカメラ、デジタルスチルカメラ、ＰＣカメラ、携帯電話のカメラ等を指す。
【００７４】
また、周期的な画像変化の発生が減少するため、画像のカメラ出力の段階で、画像圧縮を行いデータを転送する場合には、データの圧縮率を高めることができる。
【００７５】
さらには、カラーローリングの検出やカラーローリングの抑圧に特殊なハードウェアや外付け回路等を必要としないため、カラーローリングの対策を施したカメラの製造コストを抑えることができる。
【図面の簡単な説明】
【００７６】
【図１】ＮＴＳＣ方式のカメラで被写体を蛍光灯の下で撮影した時に発生するカラーローリングとその従来の対策例について説明する図である。
【図２】本発明の一実施形態に係る撮像装置の構成例を示すブロック図である。
【図３】オプティカルディテクタ２４５で実行される輝度別積分の方法の一例について説明する図である。
【図４】電源周波数が５０Ｈｚ、白色蛍光灯で、ＰＡＬ（Phase Alternating Line）方式のカメラを使用したときの色信号（Ｒ、Ｇ、Ｂ）と輝度信号Ｙを所定時間フィールドで積分した輝度別積分値の一実施例を示す図である。
【図５】カラーローリングサプレス制御の第１例の図である。
【図６】カラーローリングサプレス制御の第２例の図である。
【符号の説明】
【００７７】
２０…撮像装置、２１…レンズ（ＬＥＮＳ）、２２…撮像素子（ＣＣＤ）、２３…アナログフロントエンド部、２３１…相関２重サンプリング回路（ＣＤＳ）、２３２…自動ゲイン制御装置（ＡＧＣ）、２４…デジタル信号処理回路（ＤＳＰ）、２５…タイミングジェネレータ（ＴＧ）、２４１…アナログ・デジタル変換器（Ａ／Ｄ）、２４２…輝度信号処理回路（Ｙ−Ｐｒｏｃｅｓｓ）、２４３…色信号処理回路（Ｃ−Ｐｒｏｃｅｓｓ）、２４４…デジタル・アナログ変換器（Ｄ／Ａ）、２４５…オプティカルディテクタ（ＯＰＤ）、２４６…演算装置。
【図１】
2008085736.tif 000003
【図２】
2008085736.tif 000004
【図３】
2008085736.tif 000005
【図４】
2008085736.tif 000006
【図５】
2008085736.tif 000007
【図６】
2008085736.tif 000008